(57)【特許請求の範囲】
【請求項１】
レーザ光を偏向走査する偏向走査手段と、前記偏向走査手段による前記レーザ光の偏向走査の同期を得るために前記偏向走査手段によって偏向走査させられた前記レーザ光を検出する受光装置とを備え、
前記受光装置は、前記レーザ光を検出する受光部を有した受光素子と、前記受光部によって検出されるべき前記レーザ光を通過させる通過穴が形成されて前記通過穴以外の部分で前記レーザ光を遮断する独立部材からなる光遮断部材とを備え、
前記通過穴は、前記受光素子に対向する範囲の一部であって前記受光部に対向する範囲を含む範囲のみに形成され、
前記光遮断部材は、前記受光素子側の部分が前記通過穴に近い部分ほど前記受光素子に近くなるように傾斜して形成された反射面であるとともに、前記光遮断部材の前記通過穴を通過して前記受光部以外の部分で反射したレーザ光を前記光遮断部材の前記受光素子側の部分で前記受光部から遠ざかる方向に反射することを特徴とする画像形成装置。
【請求項２】
前記光遮断部材は、前記通過穴が前記受光素子に近い部分ほど小さいことを特徴とする請求項１に記載の画像形成装置。
【請求項３】
前記受光装置は、前記受光素子が取り付けられたプリント配線基板を備え、
前記光遮断部材は、自身を前記プリント配線基板に固定する固定部を有したことを特徴とする請求項１又は請求項２に記載の画像形成装置。
【発明の詳細な説明】
【技術分野】
【０００１】
本発明は、独立に変調可能な複数の記録用光源を用いて複数ラインを同時に記録する書込光学系を搭載したレーザプリンタ、デジタル複写機、ファクシミリ装置等の画像形成装置に関する。
【背景技術】
【０００２】
従来の画像形成装置として、レーザダイオードから発生される画像信号に応じて変調されたレーザ光をポリゴンミラーによって偏向走査して感光体ドラム上に結像させる画像形成装置であって、主走査方向の有効書込領域の前の位置に配置された受光素子による検出信号に基づいてレーザ光の偏向走査の同期を得る画像形成装置が知られている。
【特許文献１】特開２００２−６７３８２号公報
【発明の開示】
【発明が解決しようとする課題】
【０００３】
しかしながら、従来の画像形成装置においては、レーザ光が受光素子の受光部以外の部材で反射して受光部に入射する場合があり、その場合にレーザ光の偏向走査の同期がずれて異常画像を形成するという問題があった。
【０００４】
本発明は、従来の問題を解決するためになされたもので、レーザ光の偏向走査の同期を従来より高精度に得ることによって異常画像の形成を従来より抑制することができる画像形成装置を提供することを目的とする。
【課題を解決するための手段】
【０００５】
本発明の画像形成装置は、レーザ光を偏向走査する偏向走査手段と、前記偏向走査手段による前記レーザ光の偏向走査の同期を得るために前記偏向走査手段によって偏向走査させられた前記レーザ光を検出する受光装置とを備え、前記受光装置は、前記レーザ光を検出する受光部を有した受光素子と、前記受光部によって検出されるべき前記レーザ光を通過させる通過穴が形成されて前記通過穴以外の部分で前記レーザ光を遮断する独立部材からなる光遮断部材とを備え、前記通過穴は、前記受光素子に対向する範囲の一部であって前記受光部に対向する範囲を含む範囲のみに形成された構成を有している。
【０００６】
この構成により、本発明の画像形成装置は、光遮断部材の通過穴を通過したレーザ光が受光部以外の部分に入射することを抑制するので、光遮断部材の通過穴を通過して受光部以外の部分で反射したレーザ光が受光部に入射することを抑制することができる。例えば、本発明の画像形成装置は、光遮断部材の通過穴を通過したレーザ光が受光素子のフレームに入射することを抑制するので、レーザ光が受光素子のフレームに入射してフレームの表面状態や形状によって反射した後、受光素子のパッケージの界面やパッケージの表面の汚れ等によって乱反射して受光部に入射するということを抑制することができる。したがって、本発明の画像形成装置は、想定外のレーザ光を受光部が誤検出することを抑制することができるので、レーザ光の偏向走査の同期を従来より高精度に得ることができ、異常画像の形成を従来より抑制することができる。
【０００７】
また、本発明の画像形成装置の前記光遮断部材は、前記受光素子側の部分が前記通過穴に近い部分ほど前記受光素子に近くなるように傾斜して形成された反射面であるとともに、前記光遮断部材の前記通過穴を通過して前記受光部以外の部分で反射したレーザ光を前記光遮断部材の前記受光素子側の部分で前記受光部から遠ざかる方向に反射する構成を有している。
【０００８】
この構成により、本発明の画像形成装置は、光遮断部材の通過穴を通過して受光部以外の部分で反射したレーザ光が光遮断部材の受光素子側の部分で受光部から遠ざかる方向に反射されるので、光遮断部材の通過穴を通過して受光部以外の部分に入射したレーザ光が受光部に入射することを抑制することができる。例えば、本発明の画像形成装置は、受光素子が取り付けられたプリント配線基板にレーザ光が入射してプリント配線基板の表面状態や色調によって反射したとしても、プリント配線基板で反射したレーザ光が光遮断部材の受光素子側の部分で受光部から遠ざかる方向に反射されるので、光遮断部材の通過穴を通過してプリント配線基板に入射したレーザ光が受光部に入射することを抑制することができる。したがって、本発明の画像形成装置は、想定外のレーザ光、即ち、光遮断部材の通過穴を通過して受光部以外の部分に入射したレーザ光を受光部が誤検出することを抑制することができるので、レーザ光の偏向走査の同期を更に高精度に得ることができ、異常画像の形成を更に抑制することができる。
【０００９】
また、本発明の画像形成装置の前記光遮断部材は、前記通過穴が前記受光素子に近い部分ほど小さい構成を有している。
【００１０】
この構成により、本発明の画像形成装置は、光遮断部材のうち通過穴を形成する部分に入射したレーザ光が光遮断部材のうち通過穴を形成する部分で受光部から遠ざかる方向に反射されるので、光遮断部材のうち通過穴を形成する部分に入射したレーザ光が受光部に入射することを抑制することができる。したがって、本発明の画像形成装置は、想定外のレーザ光、即ち、光遮断部材のうち通過穴を形成する部分に入射したレーザ光を受光部が誤検出することを抑制することができるので、レーザ光の偏向走査の同期を更に高精度に得ることができ、異常画像の形成を更に抑制することができる。
【００１１】
また、本発明の画像形成装置の前記受光装置は、前記受光素子が取り付けられたプリント配線基板を備え、前記光遮断部材は、自身を前記プリント配線基板に固定する固定部を有した構成を有している。
【００１２】
この構成により、本発明の画像形成装置は、光遮断部材がプリント配線基板にネジ等の他の部品を介さずに直接固定されるので、光遮断部材がプリント配線基板にネジ等の他の部品を介して固定される構成と比較して、光遮断部材と、プリント配線基板とを高精度に位置決め可能であり、その結果、光遮断部材の通過穴と、プリント配線基板に取り付けられた受光素子の受光部とを高精度に位置決め可能である。したがって、本発明の画像形成装置は、想定外のレーザ光を受光部が誤検出することを更に抑制することができるので、レーザ光の偏向走査の同期を更に高精度に得ることができ、異常画像の形成を更に抑制することができる。また、本発明の画像形成装置は、光遮断部材がプリント配線基板にネジ等の他の部品を介さずに直接固定されるので、光遮断部材がプリント配線基板にネジ等の他の部品を介して固定される構成と比較して、各部品の寸法公差を広くすることができるので、寸法公差が広い低価格な部品で製造されることによって製造コストを低減することができる。
【発明の効果】
【００１３】
本発明は、レーザ光の偏向走査の同期を従来より高精度に得ることによって異常画像の形成を従来より抑制することができる画像形成装置を提供することができるものである。
【発明を実施するための最良の形態】
【００１４】
以下、本発明の実施の形態に係る画像形成装置について、図面を用いて説明する。
【００１５】
（第１の実施の形態）
まず、第１の実施の形態に係る画像形成装置の構成について説明する。
【００１６】
図１及び図２に示すように、本実施の形態に係る画像形成装置は、レーザ光を放出するレーザダイオード１１と、レーザダイオード１１によるレーザ光の放出を制御するプリント配線基板１２と、レーザダイオード１１によって放出されたレーザ光を平行光に変換するコリメートレンズ１３と、コリメートレンズ１３を通過したレーザ光のビーム整形を行うアパーチャ１４と、アパーチャ１４を通過したレーザ光を副走査方向に圧縮するシリンドリカルレンズ１５と、シリンドリカルレンズ１５を通過したレーザ光を反射する反射ミラー１６と、反射ミラー１６で反射したレーザ光を偏向走査する偏向走査手段としてのポリゴンミラー１７と、ポリゴンミラー１７の回転時に発生する気流によって周囲のごみがポリゴンミラー１７に付着することを防止するポリゴンミラー保護ガラス１８と、ポリゴンミラー１７によって偏向走査されてポリゴンミラー保護ガラス１８を通過したレーザ光の位置及び形状を整えるｆθレンズ１９、２０と、ｆθレンズ１９、２０を通過したレーザ光のピッチを均一にするバレルトロイダルレンズ２１と、各種光学部品にトナーが付着することを防止する防塵ガラス２２と、レーザ光によって表面に潜像が形成されてトナーが付着させられる感光体ドラム２３と、バレルトロイダルレンズ２１を通過して防塵ガラス２２を通過したレーザ光を感光体ドラム２３に向けて反射するドラムミラー２４と、ポリゴンミラー１７によるレーザ光の偏向走査の同期を得るためにポリゴンミラー１７によって偏向走査させられたレーザ光を検出する受光装置３０とを備えている。
【００１７】
図３及び図４に示すように、受光装置３０は、レーザ光を通過させる通過穴３１ａが形成されて通過穴３１ａ以外の部分でレーザ光を遮断する筐体部３１と、レーザ光を検出する受光部３２ａを有した受光素子３２と、受光素子３２が取り付けられたプリント配線基板３３と、受光部３２ａによって検出されるべきレーザ光を通過させる通過穴３４ａが形成されて通過穴３４ａ以外の部分でレーザ光を遮断する光遮断部材３４と、プリント配線基板３３及び光遮断部材３４を筐体部３１に固定するための止めネジ３５とを備えている。
【００１８】
ここで、筐体部３１は、図示していないネジ穴が形成されており止めネジ３５と螺合する突起３１ｂと、プリント配線基板３３及び光遮断部材３４の位置決め用のピン３１ｃを有した突起３１ｄとを有している。
【００１９】
また、受光素子３２は、受光部３２ａの配線であるフレーム３２ｂと、受光部３２ａ及びフレーム３２ｂを封入したパッケージ３２ｃとを備えている。
【００２０】
また、プリント配線基板３３は、止めネジ３５が挿入される長穴３３ａと、ピン３１ｃが挿入される穴３３ｂとが形成されている。
【００２１】
また、光遮断部材３４は、止めネジ３５が挿入される穴３４ｂと、ピン３１ｃが挿入される穴３４ｃとが形成されている。なお、通過穴３４ａは、受光素子３２に対向する範囲の一部であって受光部３２ａに対向する範囲を含む範囲のみに形成されている。
【００２２】
次に、受光装置３０の製造方法について説明する。
【００２３】
まず、受光素子３２がプリント配線基板３３に取り付けられる。
【００２４】
そして、筐体部３１のピン３１ｃが光遮断部材３４の穴３４ｃ、プリント配線基板３３の穴３３ｂに順に挿入された後、止めネジ３５がプリント配線基板３３の長穴３３ａ、光遮断部材３４の穴３４ｂに順に挿入されて、筐体部３１の突起３１ｂに螺合されることによって、筐体部３１、プリント配線基板３３及び光遮断部材３４が互いに位置決め固定される。
【００２５】
次に、本実施の形態に係る画像形成装置の動作について説明する。
【００２６】
本実施の形態に係る画像形成装置は、レーザダイオード１１によって放出されたレーザ光をポリゴンミラー１７によって偏向走査して感光体ドラム２３や受光装置３０に到達させる。
【００２７】
本実施の形態に係る画像形成装置は、受光装置３０によってレーザ光を検出することによって、ポリゴンミラー１７によるレーザ光の偏向走査の同期を得て、感光体ドラム２３への画像の書き出し位置を調整する。
【００２８】
そして、本実施の形態に係る画像形成装置は、調整した書き出し位置に基づいて感光体ドラム２３の表面にレーザ光によって潜像を形成し、感光体ドラム２３の表面にトナーを付着させた後、感光体ドラム２３の表面に付着させたトナーを印刷用紙に転写する。
【００２９】
ここで、ポリゴンミラー１７によって偏向走査されたレーザ光は、図３に示す軌跡３０ａのように受光装置３０に到達し、軌跡３０ｂのように筐体部３１の通過穴３１ａを通過し、軌跡３０ｃのように光遮断部材３４の通過穴３４ａを通過して、受光素子３２の受光部３２ａによって検出される。即ち、受光装置３０は、受光素子３２に対向する範囲の一部であって受光部３２ａに対向する範囲を含む範囲のみに通過穴３４ａが形成されているので、光遮断部材３４の通過穴３４ａを通過したレーザ光が受光部３２ａ以外の部分に入射することを光遮断部材３４によって抑制する。
【００３０】
以上に説明したように、本実施の形態に係る画像形成装置は、光遮断部材３４の通過穴３４ａを通過したレーザ光が受光部３２ａ以外の部分に入射することを抑制するので、光遮断部材３４の通過穴３４ａを通過して受光部３２ａ以外の部分で反射したレーザ光が受光部３２ａに入射することを抑制することができる。例えば、本実施の形態に係る画像形成装置は、光遮断部材３４の通過穴３４ａを通過したレーザ光が受光素子３２のフレーム３２ｂに入射することを抑制するので、レーザ光が受光素子３２のフレーム３２ｂに入射してフレーム３２ｂの表面状態や形状によって反射した後、受光素子３２のパッケージ３２ｃの界面やパッケージ３２ｃの表面の汚れ等によって乱反射して受光部３２ａに入射するということを抑制することができる。したがって、本実施の形態に係る画像形成装置は、想定外のレーザ光を受光部３２ａが誤検出することを抑制することができるので、レーザ光の偏向走査の同期を従来より高精度に得ることができ、異常画像の形成を従来より抑制することができる。
【００３１】
（第２の実施の形態）
まず、第２の実施の形態に係る画像形成装置の構成について説明する。
【００３２】
なお、本実施の形態に係る画像形成装置の構成のうち第１の実施の形態に係る画像形成装置の構成と同様な構成については、第１の実施の形態に係る画像形成装置の構成と同一の符号を付して詳細な説明を省略する。
【００３３】
本実施の形態に係る画像形成装置の構成は、ポリゴンミラー１７（図１参照。）によるレーザ光の偏向走査の同期を得るためにポリゴンミラー１７によって偏向走査させられたレーザ光を検出する受光装置４０（図５参照。）を受光装置３０（図４参照。）に代えて第１の実施の形態に係る画像形成装置が備えた構成と同様である。
【００３４】
図５に示すように、受光装置４０の構成は、受光部３２ａによって検出されるべきレーザ光を通過させる通過穴３４ａが形成されて通過穴３４ａ以外の部分でレーザ光を遮断する光遮断部材４４を光遮断部材３４（図４参照。）に代えて受光装置３０が備えた構成と同様である。
【００３５】
光遮断部材４４は、受光素子３２側の部分（以下「素子側部分」という。）４４ａが通過穴３４ａに近い部分ほど受光素子３２に近くなっていることを除いて光遮断部材３４と同様である。
【００３６】
次に、本実施の形態に係る画像形成装置の動作について説明する。
【００３７】
なお、本実施の形態に係る画像形成装置の動作のうち第１の実施の形態に係る画像形成装置の動作と同様な動作については、詳細な説明を省略する。
【００３８】
受光装置４０は、光遮断部材４４の素子側部分４４ａが通過穴３４ａに近い部分ほど受光素子３２に近くなっているので、光遮断部材４４の通過穴３４ａを通過して受光部３２ａ以外の部分で反射したレーザ光を光遮断部材４４の素子側部分４４ａで受光部３２ａから遠ざかる方向に反射する。例えば、受光装置４０は、図６に示すように、受光素子３２が取り付けられたプリント配線基板３３にレーザ光が入射してプリント配線基板３３の表面状態や色調によって反射したとしても、プリント配線基板３３で反射したレーザ光を光遮断部材４４の素子側部分４４ａで受光部３２ａから遠ざかる方向に反射する。
【００３９】
以上に説明したように、本実施の形態に係る画像形成装置は、光遮断部材４４の通過穴３４ａを通過して受光部３２ａ以外の部分で反射したレーザ光が光遮断部材４４の素子側部分４４ａで受光部３２ａから遠ざかる方向に反射されるので、光遮断部材４４の通過穴３４ａを通過して受光部３２ａ以外の部分に入射したレーザ光が受光部３２ａに入射することを抑制することができる。例えば、本実施の形態に係る画像形成装置は、受光素子３２が取り付けられたプリント配線基板３３にレーザ光が入射してプリント配線基板３３の表面状態や色調によって反射したとしても、プリント配線基板３３で反射したレーザ光が光遮断部材４４の素子側部分４４ａで受光部３２ａから遠ざかる方向に反射されるので、光遮断部材４４の通過穴３４ａを通過してプリント配線基板３３に入射したレーザ光が受光部３２ａに入射することを抑制することができる。したがって、本実施の形態に係る画像形成装置は、想定外のレーザ光、即ち、光遮断部材４４の通過穴３４ａを通過して受光部３２ａ以外の部分に入射したレーザ光を受光部３２ａが誤検出することを抑制することができるので、第１の実施の形態に係る画像形成装置と比較して、レーザ光の偏向走査の同期を更に高精度に得ることができ、異常画像の形成を更に抑制することができる。
【００４０】
なお、光遮断部材４４の通過穴３４ａを通過し受光部３２ａ以外の部分で反射して光遮断部材４４の素子側部分４４ａで反射したレーザ光は、受光素子３２の受光部３２ａに対する素子側部分４４ａ上の入射位置の存在方向に進行方向が近いほど、受光部３２ａから遠ざかるので好ましい。したがって、光遮断部材４４の素子側部分４４ａの傾斜は、その観点から決定されると好ましい。
【００４１】
（第３の実施の形態）
まず、第３の実施の形態に係る画像形成装置の構成について説明する。
【００４２】
なお、本実施の形態に係る画像形成装置の構成のうち第１の実施の形態に係る画像形成装置の構成と同様な構成については、第１の実施の形態に係る画像形成装置の構成と同一の符号を付して詳細な説明を省略する。
【００４３】
本実施の形態に係る画像形成装置の構成は、ポリゴンミラー１７（図１参照。）によるレーザ光の偏向走査の同期を得るためにポリゴンミラー１７によって偏向走査させられたレーザ光を検出する受光装置５０（図７参照。）を受光装置３０（図４参照。）に代えて第１の実施の形態に係る画像形成装置が備えた構成と同様である。
【００４４】
図７に示すように、受光装置５０の構成は、受光部３２ａによって検出されるべきレーザ光を通過させる通過穴５４ａが形成されて通過穴５４ａ以外の部分でレーザ光を遮断する光遮断部材５４を光遮断部材３４（図４参照。）に代えて受光装置３０が備えた構成と同様である。
【００４５】
光遮断部材５４の構成は、受光素子３２に近い部分ほど小さい通過穴５４ａが通過穴３４ａ（図４参照。）に代えて光遮断部材３４に形成された構成と同様である。
【００４６】
次に、本実施の形態に係る画像形成装置の動作について説明する。
【００４７】
なお、本実施の形態に係る画像形成装置の動作のうち第１の実施の形態に係る画像形成装置の動作と同様な動作については、詳細な説明を省略する。
【００４８】
受光装置５０は、図８に示すように、光遮断部材５４の通過穴５４ａが受光素子３２に近い部分ほど小さくなっているので、光遮断部材５４のうち通過穴５４ａを形成する部分（以下「穴形成部分」という。）５４ｂに入射したレーザ光を穴形成部分５４ｂで受光部３２ａから遠ざかる方向に反射する。
【００４９】
以上に説明したように、本実施の形態に係る画像形成装置は、穴形成部分５４ｂに入射したレーザ光が穴形成部分５４ｂで受光部３２ａから遠ざかる方向に反射されるので、穴形成部分５４ｂに入射したレーザ光が受光部３２ａに入射することを抑制することができる。したがって、本実施の形態に係る画像形成装置は、想定外のレーザ光、即ち、穴形成部分５４ｂに入射したレーザ光を受光部３２ａが誤検出することを抑制することができるので、第１の実施の形態に係る画像形成装置と比較して、レーザ光の偏向走査の同期を更に高精度に得ることができ、異常画像の形成を更に抑制することができる。
【００５０】
なお、穴形成部分５４ｂで反射したレーザ光は、受光素子３２の受光部３２ａに対する穴形成部分５４ｂ上の入射位置の存在方向に進行方向が近いほど、受光部３２ａから遠ざかるので好ましい。したがって、光遮断部材５４の穴形成部分５４ｂの傾斜は、その観点から決定されると好ましい。
【００５１】
（第４の実施の形態）
まず、第４の実施の形態に係る画像形成装置の構成について説明する。
【００５２】
なお、本実施の形態に係る画像形成装置の構成のうち第１の実施の形態に係る画像形成装置の構成と同様な構成については、第１の実施の形態に係る画像形成装置の構成と同一の符号を付して詳細な説明を省略する。
【００５３】
本実施の形態に係る画像形成装置の構成は、ポリゴンミラー１７（図１参照。）によるレーザ光の偏向走査の同期を得るためにポリゴンミラー１７によって偏向走査させられたレーザ光を検出する受光装置６０（図９参照。）を受光装置３０（図４参照。）に代えて第１の実施の形態に係る画像形成装置が備えた構成と同様である。
【００５４】
図９に示すように、受光装置６０の構成は、受光素子３２が取り付けられたプリント配線基板６３と、受光部３２ａによって検出されるべきレーザ光を通過させる通過穴３４ａが形成されて通過穴３４ａ以外の部分でレーザ光を遮断する光遮断部材６４とを、プリント配線基板３３（図４参照。）及び光遮断部材３４（図４参照。）に代えて受光装置３０が備えた構成と同様である。
【００５５】
光遮断部材６４の構成は、自身をプリント配線基板６３に固定する固定部としての爪部６４ａを穴３４ｂ、３４ｃ（図４参照。）に代えて光遮断部材３４が備えた構成と同様である。
【００５６】
また、プリント配線基板６３の構成は、光遮断部材６４の爪部６４ａが挿入される穴６３ａがプリント配線基板３３に形成された構成と同様である。
【００５７】
次に、受光装置６０の製造方法について説明する。
【００５８】
まず、受光素子３２がプリント配線基板６３に取り付けられる。
【００５９】
次いで、光遮断部材６４の未だ折り曲げられていない爪部６４ａがプリント配線基板６３の穴６３ａに挿入されて折り曲げられることによって、光遮断部材６４がプリント配線基板６３に位置決め固定される。
【００６０】
そして、筐体部３１のピン３１ｃがプリント配線基板６３の穴３３ｂ（図３参照。）に挿入された後、止めネジ３５がプリント配線基板６３の長穴３３ａ（図３参照。）に挿入されて、筐体部３１の突起３１ｂに螺合されることによって、筐体部３１及びプリント配線基板６３が互いに位置決め固定される。
【００６１】
以上に説明したように、本実施の形態に係る画像形成装置は、光遮断部材６４がプリント配線基板６３に止めネジ３５等の他の部品を介さずに直接固定されるので、光遮断部材３４がプリント配線基板３３に止めネジ３５等の他の部品を介して固定される第１の実施の形態に係る画像形成装置と比較して、光遮断部材６４と、プリント配線基板６３とを高精度に位置決め可能であり、その結果、光遮断部材６４の通過穴３４ａと、プリント配線基板６３に取り付けられた受光素子３２の受光部３２ａとを高精度に位置決め可能である。したがって、本実施の形態に係る画像形成装置は、第１の実施の形態に係る画像形成装置と比較して、想定外のレーザ光を受光部３２ａが誤検出することを更に抑制することができるので、レーザ光の偏向走査の同期を更に高精度に得ることができ、異常画像の形成を更に抑制することができる。
【００６２】
また、本実施の形態に係る画像形成装置は、光遮断部材６４がプリント配線基板６３に止めネジ３５等の他の部品を介さずに直接固定されるので、光遮断部材３４がプリント配線基板３３に止めネジ３５等の他の部品を介して固定される第１の実施の形態に係る画像形成装置と比較して、各部品の寸法公差を広くすることができるので、寸法公差が広い低価格な部品で製造されることによって製造コストを低減することができる。
【００６３】
（第５の実施の形態）
第５の実施の形態に係る画像形成装置の構成について説明する。
【００６４】
なお、本実施の形態に係る画像形成装置の構成のうち第２の実施の形態に係る画像形成装置の構成と同様な構成については、第２の実施の形態に係る画像形成装置の構成と同一の符号を付して詳細な説明を省略する。
【００６５】
本実施の形態に係る画像形成装置の構成は、ポリゴンミラー１７（図１参照。）によるレーザ光の偏向走査の同期を得るためにポリゴンミラー１７によって偏向走査させられたレーザ光を検出する受光装置７０（図１０参照。）を受光装置４０（図５参照。）に代えて第２の実施の形態に係る画像形成装置が備えた構成と同様である。
【００６６】
図１０に示すように、受光装置７０の構成は、受光部３２ａによって検出されるべきレーザ光を通過させる通過穴７４ａが形成されて通過穴７４ａ以外の部分でレーザ光を遮断する光遮断部材７４を光遮断部材４４（図５参照。）に代えて受光装置４０が備えた構成と同様である。
【００６７】
光遮断部材７４の構成は、受光素子３２に近い部分ほど小さい通過穴７４ａが通過穴３４ａ（図５参照。）に代えて光遮断部材４４に形成された構成と同様である。
【００６８】
本実施の形態に係る画像形成装置は、第２の実施の形態に係る画像形成装置の作用効果と、第３の実施の形態に係る画像形成装置の作用効果とを得ることができる。
【００６９】
（第６の実施の形態）
第６の実施の形態に係る画像形成装置の構成について説明する。
【００７０】
なお、本実施の形態に係る画像形成装置の構成のうち第２の実施の形態に係る画像形成装置の構成と同様な構成については、第２の実施の形態に係る画像形成装置の構成と同一の符号を付して詳細な説明を省略する。
【００７１】
本実施の形態に係る画像形成装置の構成は、ポリゴンミラー１７（図１参照。）によるレーザ光の偏向走査の同期を得るためにポリゴンミラー１７によって偏向走査させられたレーザ光を検出する受光装置８０（図１１参照。）を受光装置４０（図５参照。）に代えて第２の実施の形態に係る画像形成装置が備えた構成と同様である。
【００７２】
図１１に示すように、受光装置８０の構成は、受光素子３２が取り付けられたプリント配線基板８３と、受光部３２ａによって検出されるべきレーザ光を通過させる通過穴３４ａが形成されて通過穴３４ａ以外の部分でレーザ光を遮断する光遮断部材８４とを、プリント配線基板３３（図５参照。）及び光遮断部材４４（図５参照。）に代えて受光装置４０が備えた構成と同様である。
【００７３】
光遮断部材８４の構成は、自身をプリント配線基板８３に固定する固定部としての爪部８４ａを穴３４ｂ、３４ｃ（図５参照。）に代えて光遮断部材４４が備えた構成と同様である。
【００７４】
また、プリント配線基板８３の構成は、光遮断部材８４の爪部８４ａが挿入される穴８３ａがプリント配線基板３３に形成された構成と同様である。
【００７５】
本実施の形態に係る画像形成装置は、第２の実施の形態に係る画像形成装置の作用効果と、第４の実施の形態に係る画像形成装置の作用効果とを得ることができる。
【００７６】
（第７の実施の形態）
第７の実施の形態に係る画像形成装置の構成について説明する。
【００７７】
なお、本実施の形態に係る画像形成装置の構成のうち第６の実施の形態に係る画像形成装置の構成と同様な構成については、第６の実施の形態に係る画像形成装置の構成と同一の符号を付して詳細な説明を省略する。
【００７８】
本実施の形態に係る画像形成装置の構成は、ポリゴンミラー１７（図１参照。）によるレーザ光の偏向走査の同期を得るためにポリゴンミラー１７によって偏向走査させられたレーザ光を検出する受光装置９０（図１２参照。）を受光装置８０（図１１参照。）に代えて第６の実施の形態に係る画像形成装置が備えた構成と同様である。
【００７９】
図１２に示すように、受光装置９０の構成は、受光部３２ａによって検出されるべきレーザ光を通過させる通過穴９４ａが形成されて通過穴９４ａ以外の部分でレーザ光を遮断する光遮断部材９４を光遮断部材８４（図１１参照。）に代えて受光装置８０が備えた構成と同様である。
【００８０】
光遮断部材９４の構成は、受光素子３２に近い部分ほど小さい通過穴９４ａが通過穴３４ａ（図４参照。）に代えて光遮断部材８４に形成された構成と同様である。
【００８１】
本実施の形態に係る画像形成装置は、第２の実施の形態に係る画像形成装置の作用効果と、第３の実施の形態に係る画像形成装置の作用効果と、第４の実施の形態に係る画像形成装置の作用効果とを得ることができる。
【図面の簡単な説明】
【００８２】
【図１】本発明の第１の実施の形態に係る画像形成装置の画像書込み部の上面図
【図２】図１に示す画像書込み部の斜視図
【図３】図１に示す画像書込み部の受光装置の分解斜視図
【図４】図３に示す受光装置の上面図
【図５】本発明の第２の実施の形態に係る受光装置の上面図
【図６】図５に示す受光装置の受光素子の近傍部分の上面図
【図７】本発明の第３の実施の形態に係る受光装置の上面図
【図８】図７に示す受光装置の受光素子の近傍部分の上面図
【図９】本発明の第４の実施の形態に係る受光装置の上面図
【図１０】本発明の第５の実施の形態に係る受光装置の上面図
【図１１】本発明の第６の実施の形態に係る受光装置の上面図
【図１２】本発明の第７の実施の形態に係る受光装置の上面図
【符号の説明】
【００８３】
１７  ポリゴンミラー（偏向走査手段）
３０  受光装置
３２  受光素子
３２ａ  受光部
３４  光遮断部材
３４ａ  通過穴
４０  受光装置
４４  光遮断部材
４４ａ  素子側部分（受光素子側の部分）
５０  受光装置
５４  光遮断部材
５４ａ  通過穴
６０  受光装置
６３  プリント配線基板
６４  光遮断部材
６４ａ  爪部（固定部）
７０  受光装置
７４  光遮断部材
７４ａ  通過穴
８０  受光装置
８３  プリント配線基板
８４  光遮断部材
８４ａ  爪部（固定部）
９０  受光装置
９４  光遮断部材
９４ａ  通過穴
【図１】
0004727402.tif 000002
【図２】
0004727402.tif 000003
【図３】
0004727402.tif 000004
【図４】
0004727402.tif 000005
【図５】
0004727402.tif 000006
【図６】
0004727402.tif 000007
【図７】
0004727402.tif 000008
【図８】
0004727402.tif 000009
【図９】
0004727402.tif 000010
【図１０】
0004727402.tif 000011
【図１１】
0004727402.tif 000012
【図１２】
0004727402.tif 000013